【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
熱安定性でかつ吸収性の脂肪族ポリエステルコポリマーであって、（１）少なくとも３軸を形成するアモルファスプレポリマーと、（２）前記アモルファスプレポリマーのそれぞれから出る結晶性末端グラフトとを有し、
（ａ）前記アモルファスプレポリマーが、L,L-ラクチド、D,L-ラクチド、グリコリド、置換グリコリド、パラ-ジオキサノン、1,5-ジオキセパン-2-オン、トリメチレンカーボネート、イプシロン-カプロラクトン、アルファ-アンジェリカラクトン、ガンマ-バレロラクトン、及びデルタ-バレロラクトン、又はこれらの組み合わせから選択される第１の環状モノマーを含むホモポリマー、コポリマー又はターポリマーから選択され、かつ複数のアルコール基を有する開始剤の存在下でかつ開環重合触媒の存在下において、調製されたものであり、
（ｂ）前記アモルファスプレポリマーには、L,L-ラクチド、D,L-ラクチド、グリコリド、置換グリコリド、パラ-ジオキサノン、1,5-ジオキセパン-2-オン、トリメチレンカーボネート、イプシロン-カプロラクトン、アルファ-アンジェリカラクトン、ガンマ-バレロラクトン、及びデルタ-バレロラクトン、又はこれらの組み合わせから選択される第２の環状モノマーが、前記アモルファスプレポリマーの存在下でかつ開環重合触媒の存在下において、グラフト化されており、
前記第１の環状モノマーと第２の環状モノマーとの合計量対前記開環重合触媒の合計量のモル比が、90,000より高いことを特徴とする熱安定性でかつ吸収性の脂肪族ポリエステルコポリマー。
【請求項２】
熱安定性でかつ吸収性の脂肪族ポリエステルコポリマーであって、（１）少なくとも３軸を形成する結晶性プレポリマーと、（２）前記結晶性プレポリマーのそれぞれから出る結晶性末端グラフトとを有し、
（ａ）前記結晶性プレポリマーが、L,L-ラクチド、D,L-ラクチド、グリコリド、置換グリコリド、パラ-ジオキサノン、1,5-ジオキセパン-2-オン、トリメチレンカーボネート、イプシロン-カプロラクトン、アルファ-アンジェリカラクトン、ガンマ-バレロラクトン、及びデルタ-バレロラクトン、又はこれらの組み合わせから選択される第１の環状モノマーを含むホモポリマー、コポリマー又はターポリマーから選択され、かつ複数のアルコール基を有する開始剤の存在下でかつ開環重合触媒の存在下において、調製されたものであり、
（ｂ）前記結晶性プレポリマーには、L,L-ラクチド、D,L-ラクチド、グリコリド、置換グリコリド、パラ-ジオキサノン、1,5-ジオキセパン-2-オン、トリメチレンカーボネート、イプシロン-カプロラクトン、アルファ-アンジェリカラクトン、ガンマ-バレロラクトン、及びデルタ-バレロラクトン、又はこれらの組み合わせから選択される第２の環状モノマーが、前記結晶性プレポリマーの存在下でかつ開環重合触媒の存在下において、グラフト化されており、
前記第１の環状モノマーと第２の環状モノマーとの合計量対前記開環重合触媒の合計量のモル比が、90,000より高いことを特徴とする熱安定性でかつ吸収性の脂肪族ポリエステルコポリマー。
【請求項３】
熱安定性でかつ吸収性の脂肪族ポリエステルコポリマーであって、（１）少なくとも３軸を形成する半結晶性脂肪族ポリエステルプレポリマーと、（２）前記半結晶性脂肪族ポリエステルプレポリマーのそれぞれから出る結晶性末端グラフトと、（３）任意に、前記半結晶性脂肪族ポリエステルプレポリマーと、結晶性末端グラフトとの間の可撓性リンカーとを有し、
（ａ）前記半結晶性脂肪族ポリエステルプレポリマーが、グリコリド、ラクチド、パラ-ジオキサノン、トリメチレンカーボネート、及びモルホリンジオン、又はこれらの組み合わせから選択された第１の環状モノマーを含むホモポリマー、コポリマー又はターポリマーから選択され、かつ複数のアルコール基を有する開始剤の存在下でかつ開環重合触媒の存在下において、調製されたものであり、
（ｂ）前記半結晶性脂肪族ポリエステルプレポリマーには、L,L-ラクチド、D,L-ラクチド、グリコリド、置換グリコリド、パラ-ジオキサノン、1,5-ジオキセパン-2-オン、トリメチレンカーボネート、イプシロン-カプロラクトン、アルファ-アンジェリカラクトン、ガンマ-バレロラクトン、及びデルタ-バレロラクトン、又はこれらの組み合わせから選択される第２の環状モノマーが、前記半結晶性脂肪族ポリエステルプレポリマーの存在下でかつ開環重合触媒の存在下において、グラフト化されており、
前記第１の環状モノマーと第２の環状モノマーとの合計量対前記開環重合触媒の合計量のモル比が、90,000より高いことを特徴とする熱安定性でかつ吸収性の脂肪族ポリエステルコポリマー。
【請求項４】
前記結晶性末端グラフトが、８０〜９０モル％のラクチドを含む、請求項３に記載の熱安定性でかつ吸収性の脂肪族ポリエステルコポリマー。
【請求項５】
前記結晶性末端グラフトが、第２の環状モノマーとして、少なくとも５０モル％のグリコリドを含む、請求項３に記載の熱安定性でかつ吸収性の脂肪族ポリエステルコポリマー。
【請求項６】
前記可撓性リンカーが、グリコリド、ラクチド、パラ-ジオキサノン、イプシロン-カプロラクトン、トリメチレンカーボネート、及びモルホリンジオン、又はこれらの組み合わせから選択される第３の環状モノマーを含む、請求項３に記載の熱安定性でかつ吸収性の脂肪族ポリエステルコポリマー。
【請求項７】
前記開始剤が、1-デカノール、1,3-プロパンジオール、トリメチロールプロパン、トリエタノールアミン、1,3,4-トリヒドロキシ-2-ブタノン、及びグリセロール、又はそれらの組み合わせから選択される、請求項１〜３のいずれか１項に記載の熱安定性でかつ吸収性の脂肪族ポリエステルコポリマー。
【請求項８】
前記開環重合触媒が、第１スズオクトエート、Sn(Oct)2、Sn(OTf)2、ジブチルスズ(II)-2-エチルヘキサノエート(Bu2Sn(Oct)2)、及び4-(ジメチルアミノ)ピリジン(DMAP)から選択される、請求項１〜３のいずれか１項に記載の熱安定性でかつ吸収性の脂肪族ポリエステルコポリマー。
【請求項９】
前記結晶性末端グラフトが、第２の環状モノマーとして、少なくとも５０モル％のグリコリドを含む、請求項１〜３のいずれか１項に記載の熱安定性でかつ吸収性の脂肪族ポリエステルコポリマー。
【請求項１０】
前記結晶性末端グラフトが、第２の環状モノマーとして、少なくとも５０モル％のラクチドを含む、請求項１〜３のいずれか１項に記載の熱安定性でかつ吸収性の脂肪族ポリエステルコポリマー。
【請求項１１】
前記アモルファスプレポリマーが、第１の環状モノマーとして、トリメチレンカーボネート（TMC）を含む、請求項１に記載の熱安定性でかつ吸収性の脂肪族ポリエステルコポリマー。
【請求項１２】
前記結晶性プレポリマーが、第１の環状モノマーとして、トリメチレンカーボネートを含む、請求項２に記載の熱安定性でかつ吸収性の脂肪族ポリエステルコポリマー。
【請求項１３】
前記アモルファスプレポリマーが、第１の環状モノマーとして、トリメチレンカーボネート及びイプシロン-カプロラクトンを含む、請求項１に記載の熱安定性でかつ吸収性の脂肪族ポリエステルコポリマー。
【請求項１４】
前記結晶性末端グラフトが、少なくとも９０モル％のグリコリドを含有する、請求項１に記載の熱安定性でかつ吸収性の脂肪族ポリエステルコポリマー。
【請求項１５】
前記結晶性末端グラフトが、少なくとも９０モル％のグリコリドを含有する、請求項２に記載の熱安定性でかつ吸収性の脂肪族ポリエステルコポリマー。
【請求項１６】
前記開環重合触媒が、第１スズオクトエートである、請求項１に記載の熱安定性でかつ吸収性の脂肪族ポリエステルコポリマー。
【請求項１７】
前記アモルファスプレポリマーが、10kDaよりも大きい分子量を有する、請求項１に記載の熱安定性でかつ吸収性の脂肪族ポリエステルコポリマー。
【請求項１８】
前記アモルファスプレポリマーが、20kDaよりも大きい分子量を有する、請求項１に記載の熱安定性でかつ吸収性の脂肪族ポリエステルコポリマー。
【請求項１９】
請求項１〜１６のいずれか１項に記載の熱安定性でかつ吸収性の脂肪族ポリエステルコポリマーを含有することを特徴とする繊維。
【請求項２０】
請求項１９に記載の繊維を含むことを特徴とする、吸収性バリア、ウェブ、メッシュ、又はファブリック。
【請求項２１】
請求項１９に記載の繊維を含むことを特徴とする、経編みメッシュ。
【請求項２２】
請求項１〜１８のいずれか１項に記載の脂肪族ポリエステルコポリマーを含むことを特徴とする、制御された薬剤送達のための吸収性ポリマー表面コーティング。
【手続補正２】
【補正対象書類名】明細書
【補正対象項目名】００１２
【補正方法】変更
【補正の内容】
【００１２】
好適実施態様において、高グリコリドコポリマーは、高結晶性の多軸ブロックコポリマーであってよく、ブロックコポリマーは2工程で合成されている。コポリマーは、3軸アモルファスプレポリマー及び3つのプレポリマーアームの各々の端部から出る高グリコリド結晶性末端グラフトを含有してもよい。なおさらなる好適実施態様において、高グリコリドコポリマーは、高結晶性の多軸ブロックコポリマーであってもよく、ブロックコポリマーは3つのプレポリマーアームの各々の端部から出る3軸結晶性プレポリマー及び高グリコリド結晶性末端グラフトを含有している。なおまたさらなる好適実施態様において、高グリコリドコポリマーは、高結晶性の多軸セグメント化コポリマーであってもよく、セグメント化コポリマーはプレポリマーの合成を伴わない単一反応工程で合成されている。更に、セグメント化コポリマーはプレポリマーを欠いているので、ポリマー構造内に明確な「ブロック」は存在しない。さらなる実施態様において、ポリエステルは、少量の少なくとも１つの追加のモノマーを含む高ラクチドコポリマーであってもよい。「高い」とは、ポリマーが少なくとも50モル％のラクチド誘導反復単位、少なくとも55％、60％、65％、70％、75％、80％、85％、90％、95％以上のラクチド誘導反復単位を含んでもよい。本開示内容によって、50〜60％、60〜70％、70〜80％、80〜90％、及び90〜100％の範囲が含まれるラクチドのモル含量の範囲も想定される。